(57)【要約】  複数の着用構成での着用者／ユーザー（Ｕ）による着用を意図するコンバーチブル衣類であって、当該衣類は、前布（１）、後布（２）、ストラップ／紐（５）および２つの左右対称の通過孔（６Ｇ、６Ｄ）を備える。前布（１）および後布（２）は、中央開口部（３）の両側にそれぞれ位置する左手接合部（８Ｄ）および右手接合部（８Ｄ）によって互いに接合される。中央開口部の正面には、くぼみ（しずく形の襟ぐり）（４）が広がる。ストラップ／紐（５）は、中央開口部の縁部に固着される中央部（５０）（しずく形の襟ぐりの縁部には固着されていない）および中央部に伸びている自由部分（５１，５２）を備える。２つの左右対称の通過孔（６Ｇ、６Ｄ）は、前布に第１のスリット（６１）、後布に第２のスリット（６２）、縫い付け部（７）をそれぞれ備える。縫い付け部（７）は、スリットの近くの前布と後布とを接合する。衣類において、前布と後布の両側縁部を接合する縫い目がなく、しずく形の襟ぐりを除いた中央開口部ＬＤの縁部の展開長さ、しずく形の襟ぐりの縁部の展開長さにより、衣類は、チュニックの構成、ポンチョの構成、バックレスドレスの構成またはスカートの構成の少なくともいずれかにおいて着用可能である。
2019502041.tif 000002
【特許請求の範囲】
【請求項１】
複数の着用構成での着用者／ユーザー（Ｕ）による着用を意図するコンバーチブル衣類（１０）であって、
縦の対称面（Ｐ１）および前後左右の表現で規定されるものに関し、
前記衣類は、前布（１）、後布（２）、紐（５）、少なくとも２つの縫合部を備え、
前記前布（１）および前記後布（２）は、中央開口部の両側に位置している左接合部（８Ｇ）および右接合部（８Ｄ）により、中央部（Ｐ２）で接合されており、
前記中央開口部は、中央開口部の正面から伸びているくぼみ（４）を備え、
前記紐（５）は、中央部（５０）および２つの自由部分（５１，５２）を備え、
前記中央部（５０）は、中央開口部の縁部には固着しているが、くぼみの縁部には固着しておらず、前記２つの自由部分（５１，５２）は中央部の両側から伸びており、
前記衣類は、前布および後布の側縁部（１２,１４,２２,２４）を接合する縫い目を有しておらず、
前記少なくとも２つの縫合部は、前布および後布に接合している、右手縫合部（７１,７１’）および左手縫合部（７２,７２’）であり、前記縫合部は、側縁部(１２,１４,２２,２４)から離れて、縦の対称面（Ｐ１）の両側に対して対称に配置されており、
ＬＤと示される中央開口部の縁部（くぼみを含まない）の展開長さは、６０ｃｍと９５ｃｍとの間（好ましくは７０ｃｍと９５ｃｍとの間、より好ましくは７８ｃｍと８６ｃｍとの間）であり、
ＬＦと示されるくぼみの展開長さは、１０ｃｍと２５ｃｍとの間（好ましくは１４ｃｍと２５ｃｍとの間、より好ましくは１５ｃｍと２０ｃｍとの間）であり、
これにより、衣類は、チュニックの構成、ポンチョの構成、バックレスドレスの構成、スカートの構成、アシンメトリー構成またはサルエルの構成のいずれにおいて着用され得る、衣類。
【請求項２】
さらに、少なくとも２つの通過孔（６Ｇ，６Ｄ）をそれぞれ右と左に備え、
各通過孔は、前布に第１のスリット（６１）、後布に第２のスリット（６２）を備え、
各通過孔は、対応する各縫合部の近くに配置される、請求項１に記載の衣類。
【請求項３】
さらに、前記通過孔（６Ｇ，６Ｄ）を通るように構成されるベルト（９）を備える、請求項２に記載の衣類。
【請求項４】
２つの縫合部（７１，７２）間の長さ（Ｋ）が、５０ｃｍと８５ｃｍとの間（好ましくは、７０ｃｍと８５ｃｍとの間、より好ましくは、７２ｃｍと７５ｃｍとの間）である、請求項１〜３のいずれか１項に記載の衣類。
【請求項５】
前記右手縫合部を形成する右側縫合部（７１,７１’）および前記左手縫合部を形成する左側縫合部（７２,７２’）を備え、前記右側縫合部は前記後布に縫い付けられており、前記左側縫合部は前記前布に縫い付けられている、請求項１〜４のいずれか１項に記載の衣類。
【請求項６】
各縫合部は、２つのボタン穴を有する紐穴部により形成され、折りたたまれ、それにより、後布および前布が二重になっており、２つのボタン穴および２つのスリットが一直線に配置されることにより、通過孔を形成しており、ベルト９を通せるようになっている、請求項５に記載の衣類。
【請求項７】
前記前布（１）および前記後布（２）が実質的に同じサイズであり、高さＡが、５５ｃｍと１００ｃｍとの間（好ましくは、７０ｃｍと１００ｃｍとの間、より好ましくは７０ｃｍと８５ｃｍとの間）であり、幅Ｂが、７０ｃｍと１１５ｃｍとの間（好ましくは、９５ｃｍと１１５ｃｍとの間、より好ましくは、１００ｃｍと１１０ｃｍとの間）である、請求項１〜６のいずれか１項に記載の衣類。
【請求項８】
前記左接合部（８Ｇ）および前記右接合部（８Ｄ）が縫い目により形成される、請求項１〜７のいずれか１項に記載の衣類。
【請求項９】
前記縫合部が、好ましくは３５ｃｍと４５ｃｍとの間の寸法（Ｅ）分、衣類の上端から離れて位置している、請求項１〜８のいずれか１項に記載の衣類。
【請求項１０】
前記前布および前記後布は、単一の布片から一体化して作製され、好ましくは、単一の布片が配置パターンを備える、請求項１〜９のいずれか１項に記載の衣類。
【発明の詳細な説明】
【発明の詳細な説明】
【０００１】
〔本発明の分野および背景〕
本発明は、いくつかの構成の着用法で着用者に着用され得る衣服（特に、コンバーチブル衣類またはモジュールの衣類）に関する。
【０００２】
すでに、コンバーチブル衣服に関して出願が試みられている。
【０００３】
多くは、取り外し可能な部品または折り畳み可能な部品（米国特許４２２７２６４号または米国特許７８２３２２０号に記載されているアイテム等）に依拠している。
【０００４】
公知の例である米国特許８２１４９２３号のような、複数用途の衣料品の構成の衣料品セットも出願されている。しかし、このようなセットをユーザーが所望の構成に組み立てることは、難しいことがわかった。
【０００５】
コンバーチブル衣服の継続的な改良が依然として求められている。
【０００６】
〔本発明の要旨〕
この目的のため、本明細書中では、複数の着用構成での着用者／ユーザー（Ｕ）による着用を意図するコンバーチブル衣類（１０）であって、縦の対称面（Ｐ１）および前後左右の表現で規定されるものを提供する。前記衣類は、前布（１）、後布（２）、紐（５）、少なくとも２つの縫合部を備え、
前記前布（１）および前記後布（２）は、中央開口部の両側に位置している左接合部（８Ｇ）および右接合部（８Ｄ）により、中央部（Ｐ２）で接合されており、
前記中央開口部は、中央開口部の正面から伸びているくぼみ（４）を備え、
前記紐（５）は、中央部（５０）および２つの自由部分（５１，５２）を備え、
前記中央部（５０）は、中央開口部の縁部には固着しているが、くぼみの縁部には固着しておらず、前記２つの自由部分（５１，５２）は中央部の両側から伸びており、
前記衣類は、前布および後布の側縁部（１２,１４,２２,２４）を接合する縫い目を有しておらず、
前記少なくとも２つの縫合部は、前布および後布に接合している、右手縫合部（７１,７１’）および左手縫合部（７２,７２’）であり、前記縫合部は、側縁部(１２,１４,２２,２４)から離れて、縦の対称面（Ｐ１）の両側に対して対称に配置されており、
ＬＤと示される中央開口部の縁部（くぼみを含まない）の展開長さは、６０ｃｍと１００ｃｍとの間（好ましくは７０ｃｍと９５ｃｍとの間、より好ましくは７８ｃｍと８６ｃｍとの間）であり、
ＬＦと示されるくぼみの展開長さは、１０ｃｍと２５ｃｍとの間（好ましくは１４ｃｍと２５ｃｍとの間、より好ましくは１５ｃｍと２０ｃｍとの間）である。
【０００７】
これにより、衣類は、チュニックの構成、ポンチョの構成、バックレスドレスの構成、スカートの構成、アシンメトリー構成またはサルエルの構成のいずれかにおいて着用され得る。これら異なる構成は、首／肩の高さ、胴体上部の高さまたはウエスト（すなわち、ヒップ）の高さのいずれに中央開口部を位置させるか、それから、紐の自由部分をきつめまたはゆるめに結ぶこと、適当な位置で自由部分を結ぶことにより、達成される。前記縫合部により、接合および良好なフィットを実現できる。くぼみを開ける／大きくするか、閉じる／狭くすることにより、着用者の身体の局所的な周長に開口部の周長をうまく合わせることができる。
【０００８】
なお、衣類は女性向けであるが、将来的に男性により着用されることを排除しない。
【０００９】
本発明のいくつかの実施形態では、以下の構成が用いられてもよい：衣類は、少なくとも２つの通過孔（６Ｇ，６Ｄ）をそれぞれ右と左に備え、各通過孔は、前布に第１のスリット（６１）、後布に第２のスリット（６２）を備え、各通過孔は、対応する各縫合部の近くに配置されてもよい。これら通過孔により、ベルトを通すことができる。
【００１０】
前記衣類は、前記通過孔を通るように構成されるベルト（９）を備えていてもよい。当該ベルトは、チュニックの構成、ポンチョの構成またはドレスの構成（幅広い形態またはフィットした形態）において使用されてもよい。
【００１１】
２つの縫合部（７１，７２）間の長さ（Ｋ）は、５０ｃｍと８５ｃｍとの間（好ましくは、７０ｃｍと８５ｃｍとの間、より好ましくは、７２ｃｍと７５ｃｍとの間）であってもよい。これにより、衣類を最適化する幾何的構成を与え、どのような構成であっても衣類をしっくりフィットさせることができる。
【００１２】
右手縫合部を形成する右側縫合部（７１,７１’）および左手縫合部を形成する左側縫合部（７２,７２’）を備え、右側縫合部は後布に縫い付けられており、左側縫合部は前布に縫い付けられていてもよい。これにより、この部分の周囲で、前布および後布の動きの自由度を生み出すことができる。
【００１３】
さらに、各縫合部は、２つのボタン穴を有する紐穴部により形成され、折りたたまれる。それにより、後布および前布が二重になり、２つのボタン穴および２つのスリットが、共に通過孔を形成するように一直線に配置されることで、ベルトを通すことができる。これにより、単一の縫い目の破れまたは部分的破壊を回避する強固な縫合部を形成している。
【００１４】
紐の自由部分（５１，５２）はそれぞれ、３０ｃｍ以上であり、４０ｃｍ以上であることが好ましく、５０ｃｍ以上であることがより好ましい。これにより、Ｌ／ＸＬサイズの着用者であっても当該着用者の周囲を覆って、くぼみの対辺で結び目を作ることができる。
【００１５】
有利には、前記衣類は、スナップボタン、ジッパー、面ファスナー等の取り外し可能な部品および接合部品を全く備えていなくてもよい。
【００１６】
有利には、前記衣類は、非伸縮性材料またはわずかに伸縮する材料からなっていてもよい。
【００１７】
前布（１）および後布（２）は、実質的に同じサイズであってもよく、高さＡが、５５ｃｍと１００ｃｍとの間（好ましくは、７０ｃｍと１００ｃｍとの間、より好ましくは７０ｃｍと８５ｃｍとの間）であり、幅Ｂが、７０ｃｍと１１５ｃｍとの間（好ましくは、９５ｃｍと１１５ｃｍとの間、より好ましくは、１００ｃｍと１１０ｃｍとの間）である。
【００１８】
左接合部（８Ｇ）および右接合部（８Ｄ）が縫い目により形成される。斜接合部が形成されてもよい（斜線Ｃ）。これにより、高さを（好ましくは、５ｃｍと８ｃｍとの間分）補正し、肩に適切にフィットさせることができる。
【００１９】
前記縫合部は、好ましくは３５ｃｍと４５ｃｍとの間の寸法（Ｅ）分、衣類の上端から離れて位置している。これは、適切な折衷案であるため、前記衣類を着脱し、前布と後布との十分な接合を確実に備えさせることができる。
【００２０】
変形例では、前布および後布は、単一の布片から一体化して作製されてもよい。この場合、Ｃで示される肩の傾斜はゼロである。肩の部分に縫い目／接合部がない連続的なパターンが提示されてもよい。配置パターンの繊維は、より容易に使用されてもよい。
【００２１】
〔図面の説明〕
本発明により提供される他の特徴および利点は、実施形態の以下の説明により明示され得る。以下に開示される図に関しては、非限定的な実施例として特徴づけられる。
【００２２】
図１は、第１の実施形態に関して、本発明に係るコンバーチブル衣類を作製することを目的とした前布および後布の平面図を示す。
【００２３】
図２は、前布および後布の作製、ならびに紐の固着の中間作製工程を示す。
【００２４】
図３は、ベルトの通過孔近くに接合部が形成される工程の直前の、他の中間作製工程の斜視図を図示する。
【００２５】
図４は、第１の実施形態に係る、作製される衣類の正面の立面図を示す。
【００２６】
図５は、作製される衣類の側面の立面図を示す。
【００２７】
図６は、作製される衣類の水平断面図（図４のＶＩ−ＶＩ断面）を示す。
【００２８】
図７は、ベルトの通過孔部の取り付け部品をさらに詳細に示す。
【００２９】
図８は、くぼみを有する中央開口部を示す。
【００３０】
図９は、第２の実施形態を示す。
【００３１】
図１０Ａおよび図１０Ｂは、第３の実施形態を示す。
【００３２】
図１１は、チュニックの構成で着用される衣類を示す。
【００３３】
図１２Ａ、図１２Ｂ、図１２Ｃおよび図１２Ｄは、それぞれ、正面および背面から見た、サマーポンチョの構成で着用される衣類を示す。
【００３４】
図１３Ａ、図１３Ｂおよび図１３Ｃは、それぞれ、正面および背面から見た、バックレスドレスの構成で着用される衣類を示す。
【００３５】
図１４Ａおよび図１４Ｂは、それぞれ、正面および背面から見た、スカートの構成で着用される衣類を示す。
【００３６】
図１５は、サルエルの構成で着用される衣類を示す。
【００３７】
図１６Ａおよび図１６Ｂは、正面および背面から見た、アシンメトリー構成で着用される衣類を示す。
【００３８】
〔本発明の詳細な説明〕
異なる図において、同一の参照内容は、類似または同一の要素を示す。
【００３９】
図１〜３は、本発明の第１の実施形態に係る、コンバーチブル衣類の作製の種々の工程を示す。
【００４０】
まず、長方形の布片を２枚切り出す。これらは、衣類の最終形態では、前布１および後布２を形成する。
【００４１】
衣類について、縦の対称面Ｐ１を規定する。当該衣類が着用される際、この面が着用者の正中面と一致するはずである。
【００４２】
前布となる第１の布片１は、第２の布片２に固着されることを意図する斜縁部１１、第２の直縁部１２、第１の縁部１１の対辺に位置する第３の直縁部１３、および縁部１２の対辺に位置する第４の直縁部１４を有する。
【００４３】
後布となる第２の布片２は、第１の布片１に固着されることを意図する斜縁部２１、第２の直縁部２２、第１の縁部２１の対辺に位置する第３の直縁部２３、および縁部２２の対辺に位置する第４の直縁部２４を有する。
【００４４】
第２の縁部および第４の縁部１２，１４，２２，２４は、作製される衣類の側縁部を形成する。第３の縁部１３，２３は、作製される衣類の下縁部を形成する。
【００４５】
第１の縁部１１は、中央のくぼみ４とともに、その中央部に凹縁部３ａ，３ｃを備えている。中央のくぼみ部の両側部分からは、左斜縁部１１ｇおよび右斜縁部１１ｄとして縁部１１が伸びている。
【００４６】
第１の縁部２１はその中央部に凹縁部３ｂを備え、両側からは左斜縁部２１ｇおよび右斜縁部２１ｄが伸びている。
【００４７】
前布１において、第１のスリット６１Ｄ（ボタン穴様）が形成され、第２のスリット６１Ｇ（ボタン穴様）が形成されている。これらは、Ｋと示される寸法を空けて、Ｐ１に対して面対称に形成される。これらは両方とも、傾斜部分の縁部１６，１７から、Ｅと示される寸法の位置に形成される。
【００４８】
なお、長さＥは、スリット６１Ｇ，６１Ｄの高さの半分から、前布１の上縁部１６，１７にかけて測定される。
【００４９】
同様に、後布２において、第１のスリット６２Ｄ（ボタン穴様）が形成され、第２のスリット６２Ｇ（ボタン穴様）が形成されている。これらは、Ｋと示される寸法を空けて、Ｐ１に対して面対称に形成される。これらは両方とも、傾斜部分の縁部２５，２６から、Ｅと示される寸法の位置に形成される。
【００５０】
それから、Ｐ２で示される中央部において、８Ｄおよび８Ｇで示される右および左の２つの取付け部の位置で、縫い付けにより第１の縁部１１，２１を互いに取り付ける。凹縁部３ａ，３ｂ，３ｃは共に、３で示される中央開口部を形成する。開口部の中央前部分において、後者は、（「刻み襟」のような）くぼみ４により伸びている。当該くぼみ４の有用性は、後述される。
【００５１】
それから、紐５を作製する。紐は、レース、コード、ヌエット（nouette）と同様に呼ばれ得る。
【００５２】
図２〜４に示されるように、紐５は、中央部５０を備えている。当該中央部は、中央開口部３の縁部には固着しているが、くぼみの縁部には固着していない。両側では、２つの自由部分５１，５２が中央から伸びている。２つの自由部分は、長さを調節し、互いに結び、着用者の身体部に巻きつけるか、単に互いに結びつけることを意図している。
【００５３】
中央開口部の縁３ａ，３ｂ，３ｃでの紐の中央部５０の取付けは、連続的であっても不連続的であってもよく、裾を取り付けても、他の部品を取り付けてもよい。
【００５４】
さらに示されるように、紐５の縫い付けによりくぼみ４が多少はっきりと開閉することを考慮して、くぼみ４を備える中央開口部３は、トータルの寸法が多小長いことを特徴とする。
【００５５】
それから、第１の布１の第１のスリット６１Ｄに対応する位置において、２つのボタン穴を有する第１の紐穴部７１を第１の布のボタン穴７５と内側で取り付け、第２のスリット６１Ｇに対応する位置において、２つのボタン穴を有する第２の紐穴部７２をボタン穴の１つと、取り付ける。
【００５６】
取付けは縫付けにより行われるが、糊付け、スナップボタンでの固定、ジッパー留めまたはベルクロＴＭでの固定は排除されなくてもよい。
【００５７】
最後に、最終の取付けに進み、布を中央線（前述の接合部８Ｄ，８Ｇを含む）で２つに折りたたむ。布が内面と外面を有する場合は、２つの内面を互いに向い合せる。それから、第１の紐穴部７１を折りたたんだ後、２つのボタン穴を有する第１の紐穴部７１（ベルトの「通過孔」と呼ばれ得る紐穴）を第２のスリット６２Ｄの近くの後布２に作製することで、紐穴部の２つのボタン穴７５，７６および２つのスリット６１Ｄ，６２Ｄを一直線に並べ、ベルト９を容易に通せるようにする。この並べ方を具体的に図６（ベルト９を点線で示している）に図示する。
【００５８】
２つのボタン穴を有する第２の紐穴部７２の取付けも同様に、第２の紐穴部７２を折りたたんだ後、第２のスリット６２Ｄの近くの後布２に取り付けられる。衣類１０はこれで着用可能な状態である。
【００５９】
なお、２つのボタン穴を有する紐穴部は、単一の縫い目７７により前布に縫合され、単一の縫い目７８により後布に縫合される。
【００６０】
衣類の高さＡは、５５ｃｍと１００ｃｍとの間（約８０ｃｍが中央値）であり得るが、以下に変形例がさらに示される。
【００６１】
衣類の幅Ｂは、７０ｃｍと１１５ｃｍとの間（約１００ｃｍが中央値）であり得るが、以下に変形例がさらに示される。
【００６２】
好ましくは、前布と後布の高さＡが同じである。また、好ましくは、前布と後布の幅Ｂが同じである。
【００６３】
寸法Ｃは、肩のサイズ（最大高さ１６，１７と側縁部１４，１２との差）に対応し、Ｃの基準値は６ｃｍである。
【００６４】
図４〜６に示されるように、２つのボタン穴７１を有する第１の紐穴部は、第１のスリット６１Ｄ，６２Ｄの近くに縫合され、６Ｄで示される第１の通過孔（右通過孔）を共に形成する。左側では、２つのボタン穴７２を有する第２の紐穴部は、第２のスリット６１Ｇ，６２Ｇの近くに縫合され、６Ｇで示される第２の通過孔（左通過孔）を共に形成する。
【００６５】
２つの通過孔６Ｇ，６Ｄ間の寸法Ｋは、７０ｃｍと８０ｃｍとの間であり、好ましくは７２ｃｍと７５ｃｍとの間である。
【００６６】
寸法Ｋは、衣類の幅Ａよりも小さい。縫合部は、側縁部１２，２２，１４，２４から離れている。
【００６７】
衣類の上端から通過孔まで寸法Ｅは、３０ｃｍと５０ｃｍとの間であり、特に、３５ｃｍと４５ｃｍとの間である。
【００６８】
紐の自由部分の長さＨは、３０ｃｍと６０ｃｍとの間であり、好ましくは、４０ｃｍと５０ｃｍとの間である。しかし、より長いサイズも考えられる。
【００６９】
ベルト９は、２ｃｍ〜７ｃｍの高さであり、スリット６１Ｄ，６２Ｄの高さおよびボタン穴７５，７６の高さよりも少し小さい。
【００７０】
本明細書中で用いられる布は、基本的には伸縮性がない。軽い繊維であってもよく、好ましくは、滑らか若しくは分厚い、織物若しくは不織布、皮革、天然繊維、合成布地である。
【００７１】
繊維は伸縮性があってもよく、例えば、エラスターゼ、ＬｙｃｒａＴＭ等であってもよい。伸縮度合が多少あることにより、種々の体型の着用者に衣類のサイズが合いやすくなる。
【００７２】
図８に示されるように、ＬＤと示される、中央開口部の縁部（くぼみを含まない）の展開長さは、一般に、６０ｃｍと９５ｃｍとの間（中央値は８２ｃｍ付近）であるが、以下に変形例がさらに示される。ＬＦと示されるくぼみの展開長さは、一般に、１０ｃｍと２５ｃｍとの間（中央値は１６ｃｍ）であるが、以下に変形例がさらに示される。
【００７３】
図９に示される第２の実施形態では、前布および後布は、単一の生地から作製される。この実施例では、肩の部分に縫い目がなく、接合部８Ｄ，８Ｇは、生地が一続きであるため、できあがる。なお、側縁部も前布から後布にかけて連続的であり、縁部のパターンは、継ぎ目がなく連続的に伸びていてもよい。これは、美観の観点から好ましい。この実施例において、寸法Ｃによって示される肩のサイズはゼロ（平坦な肩のライン）である。
【００７４】
図１０Ａおよび図１０Ｂに示される第３の実施形態では、縫合部７１’,７２’が示され、当該構成は、前述の２つの実施形態の各通過孔の位置において置き換えられてもよい。
【００７５】
この実施形態では、縫合部７１’は、長さが数センチメートル（寸法Ｇ）、幅が数センチメートル（寸法Ｍ２）の小さな布片で構成される。この布片は、ボタン穴およびスリットが形成されることなく、一端から前布へ、他端から後布へ縫い付けられる。左縫合部７２’も同様に、矢状面Ｐ１に対して対称に作製される。２つの縫合部間の寸法Ｋは、ベルトの通過孔と構成が若干異なっていてもよい。
【００７６】
より簡略化された他の形態（図示されていない）では、縫合部が、前布と後布との縫い目で単に構成され、介在部がない。
【００７７】
他の考えられる形態（図示されていない）では、ベルトの通過孔が示される場合、縫合部７１’,７２’の位置は、ベルトの通過孔を形成しているスリットの位置とは異なっており、数センチメートル分、わずかに補正されてもよい。
【００７８】
それゆえ、例えば、縫合部７１’,７２’は、糸を通す位置６Ｄ，６Ｇから、衣類の中央向かってより内側に配置されてもよい。逆に、縫合部７１’,７２’は、糸を通す位置６Ｄ，６Ｇから、衣類の中央向かってより外側に配置されてもよい。
【００７９】
寸法Ｋは、最も内側の縫合部７１,７１’,７２,７２’からの幅の寸法とする。高さの寸法においては、寸法Ｅは、縫合部の高さの中点から取るか、もしくは、ボタン穴の高さの半分を基準点とする。
【００８０】
＜変形例＞
出願人は、解剖学的人体測定的研究を行い、コンバーチブル衣類の最も重要な寸法の好ましい間隔／範囲を規定する、以下の変形例の表を確立した。
【００８１】
【表１】
2019502041.tif 000003
もちろん、種々の間隔の寸法は、提示される解決策により、細い着用者および太った着用者の両方によくフィットすることを意味している。
【００８２】
＜着用構成例＞
マネキンＭで示されるユーザーにおける、衣類１０の複数の着用構成を図示する。
【００８３】
チュニックの着用構成（図１１）では、マネキンの肩および腕が布で被覆されている。前述の接合部８Ｄ，８Ｇは、肩および腕の上に位置している。通過孔６Ｄ，６Ｇ（すなわち、それぞれ縫合部７１’，７２’）は両方が胸部／胴体の側面に位置し、衣類の側面部を接合する。その結果、側面の縫い目がないにもかかわらず、前布および後布が適切な部分に位置し、多くの場合はマネキンの胸部／胴体および腹部を被覆する。
【００８４】
くぼみ４の開口部が多少幅開いと、着用者の身長に合わせることができる。一般には、図面に示すように、結び目１５がくぼみを閉じている。
【００８５】
結び目１５は、喉の付け根の下に位置している。変形例では、紐の自由部分５１，５２を交差させ、首の後ろにおいて結び目で結ぶこともできる（図示していない）。
【００８６】
示される実施例において、前布１の下縁部１３は、太腿中央に位置し、後布２の下縁部２３も同様である。
【００８７】
もちろん、このチュニックの構成では、ベルト９は衣服をダブダブにするために使用されてもよい。身体の前または後ろにベルト９を取り付けることにより、チュニックを該中央に位置させてもよい。
【００８８】
ポンチョの着用構成（図１２Ａ，１２Ｂ，１２Ｃ，１２Ｄ）では、マネキンの腕は布により被覆されるが、前の実施例とは異なり、肩は被覆されない。前述の接合部８Ｄ，８Ｇは、腕の上に位置するが、より低い位置である。前の実施例と同様に、両方の通過孔６Ｄ，６Ｇ（すなわち、それぞれ縫合部７１’，７２’）は、衣類の側面部の構造および接合を提供し、これにより、側面の縫い目がないにもかかわらず、前布および後布が適切な部分に位置し、多くの場合はマネキンの胸部／胴体および腹部を被覆する。
【００８９】
前の実施例と同様に、くぼみ４の開口部が多少幅開いと、着用者の身長に合わせやすくなる。一般には、紐の自由部分５１，５２を交差させ、首の後ろにおいて結び目１５で結ぶこともできる（図１２Ａ、図１２Ｄ）。しかし、ポンチョの構成では、衣類は、結び目なしで着用されてもよく（図１２Ｂ）、腕および縫合部（ボタン穴／通過孔）により自然なフィット感を実現している。
【００９０】
他の変形例（図１２Ｃ）では、紐の自由部分を交差させず、布の上端１６，１７まで垂直に上げて、首の後ろの結び目で結ぶ。なお、この構成では、くぼみは閉じられず、どちらかといえば、Ｖ字の形をしている。
【００９１】
もちろん、このポンチョの構成でも、ベルト９はダブダブにするために使用されてもよい。身体の前または後ろにベルト９を取り付けることにより、チュニックを該中央に位置させてもよい。
【００９２】
マネキンが腕を上げている図１２Ｂにおいても、右縫合部６Ｄの重要な役割により、衣類の右側を実質的に閉じることができる。選択される高さＡに依存して、下縁部２３は、膝より上または膝の高さに達してもよい。
【００９３】
バックレスドレスの着用構成（図１３Ａ，１３Ｂ，１３Ｃ）では、マネキンの肩および腕が衣類に被覆されていない。中央開口部３は、マネキンの腕の下の胴を被覆している。結び目１５は、紐の自由部５１，５２を首の後ろで結ばれている。
【００９４】
他の変形例（図１３Ａ）では、紐の自由部分は交差しておらず、布の上端１６，１７から垂直に伸びており、結び目は首の後ろで結ばれていない。なお、この構成では、くぼみは閉じておらず、むしろ、Ｖの形をしている。
【００９５】
図１３Ｂに示される変形例では、紐の自由部分が交差しており、それにより、くぼみ４が完全に閉じている。
【００９６】
紐の自由部分はいずれの場合においても短くして、所望の高さに調整してもよく、着用者の胴体に依存して、マネキンの背中を被覆していてもよい（図１３Ｃを参照）。
【００９７】
腕の下において、接合部８Ｄ，８Ｃは、胸部の側面の閉鎖部となる。
【００９８】
２つの紐穴／通過孔６Ｄ，６Ｇ（すなわち、それぞれ縫合部７１’，７２’）は、衣類側面部の密着構造を提供する。その結果、側面部に縫い目がないにもかかわらず、前布および後布が適切な部分に位置し、多くの場合はマネキンの腹部、ヒップおよび太腿を被覆する。長さＡの場合、脚は前布の下部によって実質的に被覆されており、大体は、下縁部２３は膝の下に達する。着用者の体型、寸法ＡおよびＢに依存して、いくつかの実施例では、下縁部は足首に位置している。
【００９９】
水着（点線で示している）の着用は、もちろんバックレスドレスの構成と両立できる。
【０１００】
スカートの着用構成（図１４Ａ，１４Ｂ）では、中央開口部３は、マネキンのウエスト（ヒップ）に合致している。結び目１５は、ウエストの周囲および紐の自由部分の長さに従って、着用者のウエストの前または後ろで結ばれていてもよい。２つの通過孔６Ｄ，６Ｇ（すなわち、それぞれ縫合部７１’，７２’）は、着用者の太腿の外側に位置している。
【０１０１】
アシンメトリー着用構成（図１６Ａ，１６Ｂ）では、衣類１０は、マネキンの片方の肩を被覆しているが、もう片方の肩を被覆していない。一方の肩は、一方の側面の接合部と、同じ側の紐穴／通過孔との間を通過している。もう一方の肩は、中央開口部３の内部を通っている。サマーポンチョの実施例のように、くぼみ４は、完全に開いているか、それに近い。
【０１０２】
示されている例では、右肩は被覆されておらず、左肩は接合部８Ｇの下の前布と後布との間を通過している。その逆であってもよいことは明らかである。
【０１０３】
紐５については、結び目１５は、首の後ろで結ばれているか、首の後ろまたは前（図示している）で交差して結ばれているか、交差しないで結ばれている。
【０１０４】
サルエルの着用構成（図１５）では、前述の実施例のように、開口部３がマネキンのウエスト（ヒップ）に合致している。しかし、前述の実施例とは異なり、通過孔６Ｄ，６Ｇ（すなわち、それぞれ縫合部７１’，７２’）は両方が、着用者の股の間に位置している。サルエルの構成では、チュニック／ポンチョの構成では腕が位置している場所に脚が位置している。
【０１０５】
サルエルの構成では、下、前および後ろを布が覆っていても、脚および太腿の外側は被覆されておらず、それゆえ、アシンメトリーと呼ばれる。
【０１０６】
特徴的な構成では、紐の自由端は、背中の後ろで結び目が結ばれた後、スリットを通って後ろに向かっている。これにより、背中の「ハーフベルト」を構成している。
【０１０７】
なお、縁部／縁は、真っ直ぐでなくてもよく、波形、窓、パール等を備えていてもよい。
【０１０８】
本明細書中では示していない変形例では、肩の接合部８Ｇ，８Ｄは、スナップボタン、ジッパーまたは面ファスナー（ベルクロＴＭ）等を用いて取り外し可能である。
【０１０９】
さらに、前述の、取り外し可能な２つのボタン穴を有する紐穴を備えていれば、衣類の前面および／または後ろ面を交換することができる。それゆえ、前布および後布は交換／更新可能である。
【図面の簡単な説明】
【０１１０】
【図１】図１は、第１の実施形態に関して、本発明に係るコンバーチブル衣類を作製することを目的とした前布および後布の平面図を示す。
【図２】図２は、前布および後布の作製、ならびに紐の固着の中間作製工程を示す。
【図３】図３は、ベルトの通過孔近くに接合部が形成される工程の直前の、他の中間作製工程の斜視図を図示する。
【図４】図４は、第１の実施形態に係る、作製される衣類の正面の立面図を示す。
【図５】図５は、作製される衣類の側面の立面図を示す。
【図６】図６は、作製される衣類の水平断面図（図４のＶＩ−ＶＩ断面）を示す。
【図７】図７は、ベルトの通過孔部の取り付け部品をさらに詳細に示す。
【図８】図８は、くぼみを有する中央開口部を示す。
【図９】図９は、第２の実施形態を示す。
【図１０】図１０Ａおよび図１０Ｂは、第３の実施形態を示す。
【図１１】図１１は、チュニックの構成で着用される衣類を示す。
【図１２】図１２Ａ、図１２Ｂ、図１２Ｃおよび図１２Ｄは、それぞれ、正面および背面から見た、サマーポンチョの構成で着用される衣類を示す。
【図１３】図１３Ａ、図１３Ｂおよび図１３Ｃは、それぞれ、正面および背面から見た、バックレスドレスの構成で着用される衣類を示す。
【図１４】図１４Ａおよび図１４Ｂは、それぞれ、正面および背面から見た、スカートの構成で着用される衣類を示す。
【図１５】図１５は、サルエルの構成で着用される衣類を示す。
【図１６】図１６Ａおよび図１６Ｂは、正面および背面から見た、アシンメトリー構成で着用される衣類を示す。
【図１】
2019502041.tif 000004
【図２】
2019502041.tif 000005
【図３】
2019502041.tif 000006
【図４】
2019502041.tif 000007
【図５】
2019502041.tif 000008
【図６】
2019502041.tif 000009
【図７】
2019502041.tif 000010
【図８】
2019502041.tif 000011
【図９】
2019502041.tif 000012
【図１０Ａ】
2019502041.tif 000013
【図１０Ｂ】
2019502041.tif 000014
【図１１】
2019502041.tif 000015
【図１２】
2019502041.tif 000016
【図１３】
2019502041.tif 000017
【図１４】
2019502041.tif 000018
【図１５】
2019502041.tif 000019
【図１６Ａ】
2019502041.tif 000020
【図１６Ｂ】
2019502041.tif 000021
【国際調査報告】
2019502041.tif 000022
2019502041.tif 000023
2019502041.tif 000024
2019502041.tif 000025
2019502041.tif 000026
2019502041.tif 000027